(57)【要約】【課題】多数の情報から興味のある情報を見易く、かつ分かりやすく表示することができる情報処理方法、情報処理装置、及びプログラムを提供する。【解決手段】インターネットに接続して種々の情報を取得し、画面上に各情報の一部をボタン化した領域に対してユーザーが表示し続けた滞在時間の長い順に画面のスクロール方向に表示する。【選択図】図８
2014160330.tif 000002
【特許請求の範囲】
【請求項１】
ネットワークに接続して種々の情報を取得し、取得した前記情報の一部を表示するサムネイルを生成し、前記情報の各々に付与された属性毎にまとめて前記サムネイルを一覧画面に表示させる情報処理装置であって、
少なくとも該情報処理装置のユーザーの指示に基づいて前記サムネイルに対応する情報の全体表示を含む前記情報に対する処理を行い、
同一属性を有する情報に対する処理の基礎となった指示の履歴に基づいて、該属性の表示位置を決定することを特徴とする、情報処理装置。
【請求項２】
前記指示の履歴に基づいて、前記ユーザーにとって優先度が高いと判断される属性ほど前記一覧画面における初期表示位置から表示可能になるまでのスクロール量が小さくなるように表示位置を決定する、請求項１記載の情報処理装置。
【請求項３】
前記全体表示を指示された情報の割合の大きい属性を前記ユーザーにとって優先度が高いと判断する、請求項２記載の情報処理装置。
【請求項４】
前記属性ごとに前記サムネイルの表示される領域において、前記ユーザーにとって優先度が高いと判断されるサムネイルが左から右へ並ぶように配置された行が、優先度が高い順に上から下に並ぶように、前記サムネイルの表示位置を決定することを特徴とする、請求項１から３の何れか一項記載の情報処理装置。
【請求項５】
前記属性ごとに前記サムネイルの表示される領域における右上の位置に、該属性に関連する広告を表示させる、請求項１から４の何れか一項記載の情報処理装置。
【請求項６】
インターネットに接続して種々の情報を取得し、画面上に各情報の一部をボタン化した領域に対してユーザーが表示し続けた滞在時間の長い順に画面のスクロール方向に表示することを特徴とする情報処理方法。
【請求項７】
前記ボタン化した領域を指定して指示すると、その領域の関連画像を拡大表示することを特徴とする請求項６記載の情報処理方法。
【請求項８】
前記ボタン化した領域をカテゴリーに対する興味の順でカテゴリー毎にグループ化することを特徴とする請求項６または７記載の情報処理方法。
【請求項９】
前記ボタン化した領域をクリックすると、クリックした領域に関連するカテゴリーのボタン化した領域を、カテゴリーに対する興味の順で、画面の左上から、右方向に順番に、端までいったら一段下に下がって、左から右に向かって縦横に配列したことを特徴とする請求項６から８の何れか一項記載の情報処理方法。
【請求項１０】
画面の右上のボタン化した領域に広告を掲載することを特徴とする請求項６から９の何れか一項記載の情報処理方法。
【請求項１１】
インターネットに接続する接続手段と、
前記接続手段により接続して取得した種々の情報を画面上に各情報の一部をボタン化した領域として表示する表示手段と、
前記種々の情報を蓄積する蓄積手段と、
ユーザーが表示し続けた滞在時間の長い順に前記表示手段の画面のスクロール方向に前記ボタンを順次表示させる制御手段と、
を備えたことを特徴とする情報処理装置。
【請求項１２】
コンピュータに、
接続手段が、インターネットに接続する手順、
表示手段が、前記接続手段により接続して取得した種々の情報を画面上に各情報の一部をボタン化した領域として表示する手順、
蓄積手段が、前記種々の情報を蓄積する手順、
制御手段が、ユーザーが表示し続けた滞在時間の長い順に前記表示手段の画面のスクロール方向に前記ボタンを順次表示させる手順、
を実行させることを特徴とするプログラム。
【発明の詳細な説明】
【技術分野】
【０００１】
本発明は、情報処理方法、情報処理装置、及びプログラムに関する。
【背景技術】
【０００２】
近年、Ｗｅｂサイトにアクセスし、ウェブページを閲覧するユーザーが関心や興味をもつニュースやブログ等の最新情報あるいは広告情報を容易にかつ利便性をもって提供できる情報処理装置が開発されてきた（例えば、特許文献１参照。）。
特許文献１に記載の発明は、タブによって識別可能なウィンドウを重複した状態でウェブページを表示し、選択されたタブによって識別されるウィンドウを最前面に表示するタブ型ブラウザを実装する情報処理装置であって、タブ型ブラウザを含む各種情報を表示する表示手段と、表示手段に対する表示を制御する制御手段を備え、タブ型ブラウザのタブ表示領域の空き領域にティッカー表示部を配置し、制御手段はティッカー表示部においてメッセージのティッカー表示を行うように表示手段を制御するものである。
【先行技術文献】
【特許文献】
【０００３】
【特許文献１】特開２００６−３３８４８７号公報
【発明の概要】
【発明が解決しようとする課題】
【０００４】
しかしながら、上述した特許文献１に記載の発明は、ユーザーの関心や興味があるニュースやブログを収集するものの広告情報とＲＳＳ情報とを織り交ぜて表示するため、広告情報が多い場合、関心や興味の無い広告まで見なければならず煩わしく、見易くないという問題がある。
また、カテゴリー毎に種々の情報をグループ分けして配置することが一般的に行われているが、そのカテゴリーの表示順序は固定されているか、ユーザーの指示による再配置が必要である。
【０００５】
そこで、本発明の目的は、多数の情報から興味のある情報を見易く、かつ分かりやすく表示することができる情報処理方法、情報処理装置、及びプログラムを提供することにある。
【課題を解決するための手段】
【０００６】
上記課題を解決するため、請求項１記載の発明は、ネットワークに接続して種々の情報を取得し、取得した前記情報の一部を表示するサムネイルを生成し、前記情報の各々に付与された属性毎にまとめて前記サムネイルを一覧画面に表示させる情報処理装置であって、少なくとも該情報処理装置のユーザーの指示に基づいて前記サムネイルに対応する情報の全体表示を含む前記情報に対する処理を行い、同一属性を有する情報に対する処理の基礎となった指示の履歴に基づいて、該属性の表示位置を決定することを特徴とする。
【発明の効果】
【０００７】
本発明によれば、多数の情報から興味のある情報を見易く、かつ分かりやすく表示することができる情報処理方法、情報処理装置、及びプログラムの提供を実現できる。
【図面の簡単な説明】
【０００８】
【図１】本発明にかかる情報処理装置としてのノートパソコンを使用している状態を示す図である。
【図２】図１に示したノートパソコン１００のブロック図の一例である。
【図３】図１に示したノートパソコン１００でユーザーが各種指示を行うための表示画面の遷移例である。
【図４】本アプリケーションのロゴマーク６０２が含まれたアイコンとして示下図である。
【図５】表示モード設定７００として「カテゴリー順で表示」と表示し、表示対象とする表示カテゴリーを示す表示単位７０１毎に、所定数の一覧用画像群７０２を表示下図である。
【図６】記事のタイトル８００と、代表画像８０１とを情報の一部として表示し、指示することで情報全体の表示が可能なＵＩ領域と、他の画像群８０２と、記事本文８０３とからなる同様のＵＩ領域を表示した図である。
【図７】カテゴリー単位を大きくまとめた大分類９０１毎に、表示カテゴリー群９０２を関連付けて表示した図である。
【図８】図１に示したノートパソコン１００の動作を説明するためのフローチャートの一例である。
【図９】図１に示したノートパソコン１００の表示装置１０３に表示される画面の一例である。
【図１０】図１に示したノートパソコン１００における記事のタイトル８００と、代表画像８０１とを情報の一部として表示し、指示することで情報全体の表示が可能なＵＩ領域のスクロール方向の表示について説明するための説明図である。
【図１１】図１に示したノートパソコン１００における記事のタイトル８００と、代表画像８０１とを情報の一部として表示し、指示することで情報全体の表示が可能なＵＩ領域のスクロール方向の表示について説明するための説明図である。
【図１２】図１に示したノートパソコン１００における記事のタイトル８００と、代表画像８０１とを情報の一部として表示し、指示することで情報全体の表示が可能なＵＩ領域のスクロール方向の表示について説明するための説明図である。
【発明を実施するための形態】
【０００９】
本実施形態について図面を参照して説明する。
本実施形態では、情報処理装置としてノートパソコンの場合で説明するが限定されるものではない。
［構  成］
図１は、本発明にかかる情報処理装置としてのノートパソコンを使用している状態を示す図である。
図では、ユーザーがノートパソコン１００の蓋部１２１の内側に設けられた表示装置１０３上のタッチパネル１０２に、タッチジェスチャー入力指示を行っている状態を示しているが限定されるものでなく、キーボード１０４やマウス１０５での入力指示が可能である。
ノートパソコン１００は、第１筐体としての本体部１２２と、本体部１２２にヒンジ部により回動自在に設けられた第２筐体としての蓋部１２１と、を有する。
【００１０】
本体部１２２は、後述するキーボード１０４、光学読取装置１０６、制御部１０７、ＨＤＤ（Hard Disc Drive）１０８、インターネットモジュール１０９、及びＩ／Ｏ（Input/Output）１１０を有する。蓋部１２１は、カメラ１０１、タッチパネル１０２、及び表示装置１０３を有する。
【００１１】
図２は、図１に示したノートパソコン１００のブロック図の一例である。
ノートパソコン１００は、カメラ（Ｗｅｂカメラ）１０１、タッチパネル１０２、後述する各画面を表示する表示手段としての表示装置（例えば、液晶表示素子）１０３、キーボード１０４、マウス１０５、光学読取装置（例えば、ＤＶＤ／ＣＤリーダー）１０６、制御部１０７、蓄積手段としてのＨＤＤ１０８、接続手段としてのインターネットモジュール１０９、Ｉ／Ｏ１１０を有する。１１１はバスラインである。
尚、ノートパソコン１００は、上述した構成に限定されるものではなく、モデムや地上デジタルチューナを有しても良く、ＨＤＤの代わりにＳＳＤ（Solid State Drive）を用いてもよい。また、光学読取装置１０６は、なくてもよい。
【００１２】
制御部１０７は、ノートパソコン１００を統括制御する機能を有し、例えば、マイクロプロセッサのＣＰＵ（Central Processing Unit：中央演算処理装置）を含む回路である。制御部１０７は、ソフトウェアとして入力制御手段１０７ａ、カテゴリー判定手段１０７ｂａ、興味解析手段１０７ｂｂ、ディスク制御手段１０７ｃ、及び表示装置制御手段１０７ｄを有する。
本実施形態におけるＯＳ（Operating System）としてのソフトウェアには、例えばウィンドウズ（登録商標）８が用いられる。
制御部１０７は、インターネットに接続して種々の情報を取得し、表示装置１０３の画面上にボタン化した領域（いわゆる、タイル）として表示し、蓄積した情報の中からユーザーの累積滞在時間の長い順に画面のスクロール方向に前記ボタンを順次表示するように制御する。
【００１３】
入力制御手段１０７ａは、カメラ１０１、タッチパネル１０２、キーボード１０４、マウス１０５、及び光学読取装置１０６からのデータを管理する。
制御部１０７は、入力制御手段１０７ａが受け付けたユーザーの指示に対応する処理を行う。尚、制御部１０７は、ユーザーの指示によらない処理を行う場合もある。例えば、所定の条件でコンテンツ情報を検索したときの検索結果が１件だけの場合に、自動的に全体表示を行う処理等が挙げられる。
カテゴリー判定手段１０７ｂａは、蓄積した情報の中からユーザーが表示し続けた滞在時間としての累積滞在時間の長さや指示の種類からカテゴリーを分析する。
ここで、カテゴリーとは、例えば、サッカー、野球、ゴルフ等のスポーツ、国内ニュース、海外ニュース、ゴシップ等を指す。
興味解析手段１０７ｂｂは、再生対象とされたコンテンツ情報への指示内容に応じて、ノートパソコン１００のユーザーの興味情報を解析する。
ディスク制御手段１０７ｃは、光学読取装置１０６に挿入された光学媒体の種類を判別し、文字データ、画像データ、音声データの読み出しの管理を行う。
表示装置制御手段１０７ｄは、表示装置１０３の画像表示を管理する。すなわち、表示装置制御手段１０７ｄは、設定された一覧画面の表示形式に応じて、一覧用画像を所定の画面フォーマット内に配置し、表示装置１０３に表示させる一覧表示画面を生成する。一覧用画像は、興味解析手段１０７ｂｂで解析された興味情報に基づいて興味度の高いカテゴリー単位から順に並べられ、設定された表示形式に応じて、一覧表示画面の所定の画面フォーマット内に配置される。
【００１４】
ＨＤＤ１０８は、制御プログラムを格納しており、メモリとしての機能を有する。
インターネットモジュール１０９は、インターネット接続するためのモジュールであり、有線ＬＡＮ（Local Area Network）接続する機能を有する。尚、インターネットモジュール１０９は、無線ＬＡＮ接続する機能を有してもよい。
Ｉ／Ｏ１１０は、ノートパソコン１００と、図には示されないＵＳＢ（Universal Serial Bus）フラッシュメモリを含む外部のデバイスとのデータの授受を管理する。
【００１５】
＜動  作＞
本実施形態のノートパソコン１００でユーザーが各種指示を行うための表示画面の遷移例を図３に示す。
【００１６】
ノートパソコン１００のタッチパネル１０２と表示装置１０３とで構成される指示表示部２０には、まずＯＳにより構成されるアプリケーションの選択画面５０１が表示される。このアプリケーションの選択画面５０１では、例えば図４に示すように、起動可能なアプリケーションを示すアイコン群６０１が表示される。そのアイコン群６０１の中には、本実施形態の一覧表示画面を実現するアプリケーションのアイコンも含まれることとする。図４では、本アプリケーションのロゴマーク６０２が含まれたアイコン（サムネイルとも言う）として示す。
【００１７】
アプリケーションの選択画面５０１で、本実施形態の機能を実現するアプリケーションのアイコンがクリックされると、図３に示すように、設定に応じて、時間順またはカテゴリー順で構成されたコンテンツ情報の一覧表示画面が表示される。
【００１８】
カテゴリー順の一覧表示画面５０３では、例えば図５に示すように、表示モード設定７００として「カテゴリー順で表示」と表示され、表示対象とする表示カテゴリーを示す表示単位７０１毎に、所定数の一覧用画像群７０２が表示される。図５の例では、表示単位７０１として、ユーザーにとって興味のあるカテゴリーとされた順に「野球」、「コンピュータ」が配置されている。また、それぞれの表示単位７０１である表示カテゴリーに対して、８つずつの一覧用画像が一覧用画像群７０２として配置され、カテゴリー順表示画面５０３が構成される。
【００１９】
尚、表示単位７０１とされる表示カテゴリーは、カテゴリー判別手段１０７ｂで判別されるカテゴリー単位と同一であってもよく、複数のカテゴリー単位をまとめたものであってもよい。例えば、「国内ニュース」の表示カテゴリーが、「サッカーのニュース」「政治のニュース」などの所定のカテゴリー単位をまとめたもの、すなわち同一属性を有する情報として構成されてもよい。
【００２０】
また、カテゴリー順の一覧表示画面５０３で、表示カテゴリーを示す表示単位７０１をクリックすると、図３に示すように、その表示単位７０１の表示カテゴリーに分類されるコンテンツ情報に対応する一覧用画像が並べられたカテゴリー内一覧表示画面５０５が表示される。
【００２１】
また、上述のようなカテゴリー順一覧表示画面５０３、カテゴリー内一覧表示画面５０５のそれぞれで表示された一覧用画像群７０２の何れかの一覧用画像をクリックすると、図３に示すように、クリックされた一覧用画像に対応するコンテンツ情報の詳細表示画面５０６が表示される。
【００２２】
詳細表示画面５０６では、クリックされた一覧用画像に対応するコンテンツ情報が例えばニュース記事である場合、図６に示すように、記事のタイトル８００と、代表画像８０１と、他の画像群８０２と、記事本文８０３とが表示される。図６の例では、他の画像群８０２として表示される何れかの画像がクリックされると、その画像が代表画像８０１として大きく表示される。
【００２３】
こうして詳細表示画面５０６によりコンテンツ情報の詳細を表示させると共に、指示部（タッチパネル１０２、キーボード１０４、マウス１０５）等により、表示したコンテンツ情報をノートパソコン１００内の記憶部４０としてのＨＤＤ１０８に記録させられるようになっている。
【００２４】
また、詳細表示画面５０６は、クリックされた一覧用画像に対応するコンテンツ情報の種類に応じて、その種類のコンテンツ情報を再生するものとして予め定められたアプリケーションやプラグインにより、そのコンテンツの再生を行う。また、不図示の指示部等からのユーザーの指示により、コンテンツの再生だけでなく、コンテンツに対する投稿、記録、削除等の各種指示ができるようになっている。
【００２５】
例えばコンテンツ情報の種類がＴＶ番組である場合、この詳細表示画面５０６でＴＶ番組を視聴できると共に、ＴＶ番組の録画指示、タイマー録画設定等の各種指示を行うことができる。
また、例えばコンテンツ情報の種類が各種のＳＮＳである場合、この詳細表示画面５０６では、選択された人についてのＳＮＳでの投稿記事が投稿時間の新しい順に表示され、各投稿記事へのコメント、画像の装置内への記録等の各種指示を行うことができる。
【００２６】
また、上述のような時間順一覧表示画面５０２、カテゴリー順一覧表示画面５０３、カテゴリー内一覧表示画面５０５、詳細表示画面５０６の何れかから、設定画面を起動させることにより、図３に示すように、興味設定画面５０７が表示される。
【００２７】
興味設定画面５０７では、例えば図７に示すように、カテゴリー単位を大きくまとめた大分類９０１毎に、表示カテゴリー群９０２が関連付けられて表示される。表示カテゴリー群９０２では、その大分類９０１に分類される表示カテゴリーがまとめて表示される。また、各表示カテゴリーについて、過去の同カテゴリーに対する指示履歴に基づき興味解析手段１０７ｂｂで推定された興味情報により、興味が大きくあるとされた順に色分けされて表示される。図７では、ユーザーに推定した興味情報を提示する目的で、１０段階の色分けで「よく見ている」から「あまり見ていない」まで段階分けして表示した場合の例を示す。
【００２８】
こうした興味設定画面５０７により、ユーザーは興味解析手段１０７ｂｂで解析された興味情報が、各表示カテゴリーについてどのようになっているかを確認することができる。また、不図示の設定ボタン等により、特定の表示カテゴリーに分類されるコンテンツ情報だけを、上述した各一覧表示画面における一覧用画像群７０２に表示させないように設定できるようにしてもよい。
【００２９】
図８は、図１に示したノートパソコン１００の動作を説明するためのフローチャートの一例である。
動作の主体は制御部１０７である。
制御部１０７は、インターネットを介して種々の情報を取得し、過去に表示した情報に対する指示履歴及び操作の種類（ホームページの表紙画面のみアクセス、ホームページの表紙画面の各ページのアクセス、メールの送信）から各カテゴリーの画面表示の優先度を決定し、また、情報配信者が定めた重要度や配信順序、または個々の情報の既に閲覧を行った他のユーザーの指示履歴および指示の種類から、個々の情報の画面表示の優先度を決定する（ステップＳ１）。
制御部１０７は、カテゴリーの表示順序と、カテゴリー内の各々の情報をボタン化したＵＩ部品の表示順位とを、上記優先度の順に画面のスクロール方向に表示する（ステップＳ２）。
【００３０】
ここで、ボタン化した領域を指定して指示すると、その領域の関連画像を拡大表示するようにしてもよい。
画面のカテゴリー表示エリア中の左上から、右方向に順番に、端までいったら一段下に下がって、左から右に向かって縦横に配列するのが好ましい。また、広告を表示する場合には、カテゴリー表示エリア中の右上の位置に掲載するのが好ましい。
このようにすることで、広告と情報が無秩序に混在することによる見やすさがなく、かつ効果的に広告をユーザーの意識に留めることができる。
制御部１０７は、ユーザーがインターネット接続を終了するか否かを判断し（ステップＳ３）、インターネット接続を継続する場合は（ステップＳ３／Ｎｏ）、ステップＳ１に戻り、インターネット接続を終了する場合は終了する（ステップＳ３／Ｙｅｓ）。
【００３１】
図９は、図１に示したノートパソコン１００の表示装置１０３に表示される画面の一例である。図１０〜図１２は、図１に示したノートパソコン１００におけるスクロール方向のボタン化した領域の表示について説明するための説明図である。
【００３２】
図９において、矩形状の領域Ａ１には複数のボタン化した領域（文字情報及び画像情報、すなわち、代表画像：図ではサイトの一場面）Ｂ１〜Ｂ４、Ｃ１〜Ｃ４、Ｄ１、Ｄ２が縦横に配列表示されている。
尚、説明の都合上、下端に表示されるタスクバーは省略されている。また、ボタン化した領域Ｄ１、Ｄ２が半分の大きさしか記載していないのは、ボタン化した領域Ｄ１、Ｄ２の続きがあることを表示するためである。
これらのボタン化した領域Ｂ１〜Ｂ４、Ｃ１〜Ｃ４、Ｄ１、Ｄ２は、ノートパソコン１００のユーザーが最も興味や関心を示すサイト、すなわち滞在時間の長いサイトをカテゴリー毎に、かつスクロール方向に沿って配列表示されている。つまり、種々の情報がカテゴリー別にグループ化されている。
本実施形態では、例えば、ユーザーがサッカー、コンピュータ、車、旅行、…の順に興味や関心が高いものとし、画面のスクロール方向を横方向として説明する。
【００３３】
領域Ａ１の、一番左にサッカー関連のカテゴリーのインデックス２０１が表示されている。インデックス２０１の下側にサッカー関連のボタン化した領域Ｂ１、Ｂ２、Ｂ３、Ｂ４が複数縦横（図では４つであるが限定されない。）に配列表示されている。すなわち、例えば、サッカーに関するニュースのボタン化した領域Ｂ１、サッカー選手のブログに関するボタン化した領域Ｂ２、サッカーの応援グッズやスポーツ用品のショッピングサイトに関するボタン化した領域Ｂ３、女子サッカーのニュースに関するボタン化した領域Ｂ４が配列表示されている。
【００３４】
サッカー関連のボタン化した領域Ｂ１〜Ｂ４の右隣り上方にはコンピュータ関連のカテゴリーのインデックス２０２が表示されている。インデックス２０２の下側にはコンピュータ関連のボタン化した領域Ｃ１、Ｃ２、Ｃ３、Ｃ４が縦横に配列表示されている。すなわち、例えば、携帯型情報処理装置のメーカーＡ社の製品に関するボタン化した領域Ｃ１、携帯型情報処理装置のメーカーＢ社の製品に関するボタン化した領域Ｃ２、携帯型情報処理装置のメーカーＣ社の製品に関するボタン化した領域Ｃ３、各種情報処理装置の展示会に関するボタン化した領域Ｃ４が配列表示されている。
【００３５】
コンピュータ関連のボタン化した領域Ｃ１〜Ｃ４の右隣り上方には車関連のカテゴリー２０３のインデックス２０３が表示されている。インデックス２０３の下側には車関連のボタン化した領域Ｄ１、Ｄ３の一部が配列されている。すなわち、例えば、自動車メーカーＤ社の新車に関するボタン化した領域Ｄ１、自動車メーカーＥ社の新車に関するボタン化した領域Ｄ２が配列表示されている。
【００３６】
図１０に示すように、ユーザーが、例えばサッカー関連のボタン化した領域Ｂ４に指先をタッチし、そのまま矢印Ｐ１方向に指先をスライドさせると、図１１に示すようにユーザーの指先がスライドした位置にボタン化した領域Ｂ４が他のボタン化した領域Ｂ２、Ｃ１〜Ｃ４、Ｄ１、Ｄ２、及びＥ１、Ｅ２、…が所定の間隔を保持したままスライドする。
尚、スライドするのはボタン化した領域Ｂ１〜Ｂ４、Ｃ１〜Ｃ４、Ｄ１、Ｄ２、Ｅ１、Ｅ２、…であり、図示しないタスクバーや検索マーク、天候マークは固定されている。
【００３７】
図１２に示すように指先をボタン化した領域Ｂ４から離すと各ボタン化した領域Ｂ３、Ｂ４、Ｃ１〜Ｃ４、Ｄ１、Ｄ２、Ｅ１、Ｅ２はスクロールを停止する。
停止後はユーザーがこのスクロール指示により、ユーザーの興味や関心の高い順にボタン化した領域の情報を閲覧することができる。
すなわち、本実施形態は、ネットワークに接続して種々の情報を取得し、取得した情報の一部を表示するサムネイルを生成し、情報の各々に付与された属性毎にまとめてサムネイルを一覧画面に表示させる情報処理装置であって、少なくとも情報処理装置のユーザーの指示に基づいてサムネイルに対応する情報の全体表示を含む情報に対する処理を行い、同一属性を有する情報に対する処理の基礎となった指示の履歴に基づいて、属性の表示位置を決定するものである。
【００３８】
以上において、本実施形態によれば、多数の情報から興味のある情報を見易く、かつ分かりやすく表示することができる。
【００３９】
＜プログラム＞
以上で説明した本発明にかかる情報処理装置の機能は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００４０】
例えば、
コンピュータに、
接続手段が、インターネットに接続する手順、
表示手段が、前記接続手段により接続して取得した種々の情報を画面上に各情報の一部をボタン化した領域として表示する手順、
蓄積手段が、前記種々の情報を蓄積する手順、
制御手段が、ユーザーが表示し続けた滞在時間の長い順に前記表示手段の画面のスクロール方向に前記ボタンを順次表示させる手順、
を実行させるプログラムが挙げられる。
【００４１】
これにより、プログラムが実行可能なコンピュータ環境さえあれば、どこにおいても本発明にかかる装置を実現することができる。
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable、などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００４２】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００４３】
１００    ノートパソコン
１０１    カメラ
１０２    タッチパネル
１０３    表示装置
１０４    キーボード
１０５    マウス
１０６    光学読取装置
１０７    制御部
１０７ａ    入力制御手段
１０７ｂａ    カテゴリー判定手段
１０７ｂｂ    興味解析手段
１０７ｃ    ディスク制御手段
１０７ｄ    表示装置制御手段
１０８    ＨＤＤ
１０９    インターネットモジュール
１１０    Ｉ／Ｏ
５０１    アプリケーション選択画面
５０３    カテゴリー順一覧表示画面
５０５    カテゴリー内一覧表示画面
５０６    詳細表示画面
５０７    興味設定画面
【図１】
2014160330.tif 000003
【図２】
2014160330.tif 000004
【図３】
2014160330.tif 000005
【図４】
2014160330.tif 000006
【図５】
2014160330.tif 000007
【図６】
2014160330.tif 000008
【図７】
2014160330.tif 000009
【図８】
2014160330.tif 000010
【図９】
2014160330.tif 000011
【図１０】
2014160330.tif 000012
【図１１】
2014160330.tif 000013
【図１２】
2014160330.tif 000014